(57)【要約】      （修正有）【課題】ネットワークへの接続状態をユーザーが容易に確認できるような画像形成装置を提供する。【解決手段】複合機は、ネットワークに接続可能であって、ネットワークへの接続状態を発光により表すリンクランプを有する複合機本体と、複合機本体に着脱可能であって、複合機本体に取り付けられた際にリンクランプが発する光を外面へと導光する導光機構６４を有する用紙後処理ユニット６と、を備える。【選択図】図６
2014231206.tif 000002
【特許請求の範囲】
【請求項１】
ネットワークに接続可能であって、前記ネットワークへの接続状態を発光により表す接続状態表示器を有する装置本体と、
前記装置本体に着脱可能であって、前記装置本体に取り付けられた際に前記接続状態表示器が発する光を外面へと導光する導光機構を有する付属機器と、
を備えることを特徴とする画像形成装置。
【請求項２】
前記導光機構は、前記接続状態表示器側に集光部を有すると共に前記付属機器の外面側に発光部を有する導光板又は光ファイバーで構成されることを特徴とする請求項１に記載の画像形成装置。
【請求項３】
前記導光機構は、複数の反射鏡と、前記付属機器の外面に設けられて前記反射鏡からの反射光を透過する導光表示窓とで構成されることを特徴とする請求項１に記載の画像形成装置。
【請求項４】
前記接続状態表示器は、前記装置本体の一側面に設けられ、
前記付属機器は、前記装置本体の一側面に設けられるオプションの用紙後処理装置であることを特徴とする請求項１〜３のいずれか１項に記載の画像形成装置。
【発明の詳細な説明】
【技術分野】
【０００１】
本発明は、ネットワークを介して通信信号を送受信する画像形成装置に関する。
【背景技術】
【０００２】
従来、画像形成装置は、ＬＡＮ（Ｌｏｃａｌ  Ａｒｉａ  Ｎｅｔｗｏｒｋ）等のネットワークに接続され、このネットワークを介してパーソナルコンピュータ等のユーザー端末から画像形成処理等の指示を入力し、また読取画像等のデータをユーザー端末へと出力する等、ネットワークを介して通信信号を送受信するように構成されたものがある。例えば、画像形成装置は、ＬＡＮケーブルを連結可能なＬＡＮ端子を備えていて、ＬＡＮのルーター等の通信機器とＬＡＮケーブルで連結されることでＬＡＮに接続する。
【０００３】
従って、画像形成装置は、ネットワークとの接続が遮断されると、ユーザー端末との間で指示入力やデータ出力ができなくなるため、ネットワークとの接続状態を確認するための機能が必要となる。例えば、画像形成装置に設けられるＬＡＮ端子は、その近傍にＬＥＤ等の発光部を備えていて、ＬＡＮ端子に連結されたＬＡＮケーブルによって画像形成装置とＬＡＮとが接続（リンクアップ）されている場合にこの発光部を点灯し、接続されていない場合に消灯するように構成されたものがある。
【０００４】
また、特許文献１では、電子機器システムにおいて、ネットワークに接続されたコントローラが、電子機器間で通信を行う場合に、全ての接続機器に接続情報を要求し、その接続情報を用いて対象となる電子機器間の通信ルートを検知し、検知した通信ルート上にある電子機器をネットワークから取り外してはならない機器として通知手段を用いてユーザーに通知している。これにより、ネットワークから取り外してはいけない電子機器についてユーザーが不用意にケーブルを抜いてネットワークを切断してしまう事故を未然に防いでいる。
【先行技術文献】
【特許文献】
【０００５】
【特許文献１】再表００／０７０８２９号
【発明の概要】
【発明が解決しようとする課題】
【０００６】
しかしながら、画像形成装置は、通常、外観を損なわないために、ＬＡＮケーブル等のネットワークケーブルやＬＡＮ端子等の接続口をユーザーから見え難い位置に設けるように構成されている。従って、ユーザーは、ネットワークケーブルの接続口からの取り外しを一見しただけでは確認することができない。また、画像形成装置は、用紙後処理装置や給紙装置等のオプションの付属機器を備えることがあるが、これらの付属機器がネットワークケーブルの接続口を覆うように配置されると、ネットワークケーブルの接続口からの取り外しをユーザーが確認することは更に困難になる。
【０００７】
また、特許文献１の電子機器システムでは、通知手段がネットワークから取り外してはならない機器をユーザーに通知しているが、この通知では、電子機器がネットワークから非接続になったことを確認できても、その非接続の原因がネットワークケーブルの接続口からの取り外しであるかを確認することができない
【０００８】
本発明は上記した課題を解決すべくなされたものであり、画像形成装置のネットワークへの接続状態をユーザーが容易に確認できるようにすることを目的とするものである。
【課題を解決するための手段】
【０００９】
上記した目的を達成するため、本発明の画像形成装置は、ネットワークに接続可能であって、前記ネットワークへの接続状態を発光により表す接続状態表示器を有する装置本体と、前記装置本体に着脱可能であって、前記装置本体に取り付けられた際に前記接続状態表示器が発する光を外面へと導光する導光機構を有する付属機器と、を備えることを特徴とする。
【００１０】
この構成によれば、装置本体の接続状態表示器が、装置本体に取り付けられた付属機器によって覆われて外部に視認できなくなった場合でも、接続状態表示器で発せられた光は、導光機構により付属機器の外部へと導光されて、付属機器の外部で視認することができる。そのため、ユーザーは、付属機器の配置に拘らず、装置本体がネットワークへ通信可能に接続されているか否か、即ち、装置本体のネットワークへの接続状態を一目で確認することができる。
【００１１】
前記導光機構は、前記接続状態表示器側に集光部を有すると共に前記付属機器の外面側に発光部を有する導光板又は光ファイバーで構成されるとよい。
【００１２】
この構成によれば、導光板又は光ファイバーが接続状態表示器で発せられた光を集光して前記付属機器の外面へと確実に導光することができる。
【００１３】
前記導光機構は、複数の反射鏡と、前記付属機器の外面に設けられて前記反射鏡からの反射光を透過する導光表示窓とで構成されるとよい。
【００１４】
この構成によれば、装置本体が接続状態表示器以外の確認用ランプを備える場合でも、複数の反射鏡及び導光表示窓を一組備えれば、これらの確認用ランプの発光を導光することができる。従って、導光機構の構成を簡易にし、コストを低減することが可能となる。
【００１５】
前記接続状態表示器は、前記装置本体の一側面に設けられ、前記付属機器は、前記装置本体の一側面に設けられるオプションの用紙後処理装置であるとよい。
【００１６】
この構成によれば、装置本体の一側面に用紙後処理装置を取り付けた場合でも、装置本体の一側面における接続状態表示器から発せられた光を、導光機構を介して用紙後処理装置の外面で確認することができ、外観性を向上することができる。
【発明の効果】
【００１７】
本発明によれば、画像形成装置のネットワークへの接続状態をユーザーが容易に確認できるようにすることが可能となる。
【図面の簡単な説明】
【００１８】
【図１】本発明の一実施形態に係る複合機の概略を示す斜視図である。
【図２】本発明の一実施形態に係る複合機における複合機本体を示す断面図である。
【図３】本発明の一実施形態に係る複合機において、複合機本体の概略を示す斜視図である。
【図４】本発明の一実施形態に係る複合機における複合機本体の要部拡大図である。
【図５】本発明の一実施形態に係る複合機において、装置本体のＬＡＮ端子の概略を示す模式図である。
【図６】本発明の一実施形態に係る複合機において、オプションの用紙後処理ユニットの概略を示す斜視図である。
【図７】本発明の他の実施形態に係る複合機において、用紙後処理ユニットの導光機構の概略を示す模式図である。
【発明を実施するための形態】
【００１９】
以下、図面を参照しつつ、本発明の実施形態について説明する。以下の各実施形態では、本発明に係る画像形成装置を複合機１に適用する場合について説明する。以下、図１〜図３における紙面手前側を、複合機１の正面側（前側）とし、矢印Ｆｒは、複合機１の正面側を示している。
【００２０】
図１に示されるように、複合機１は、略箱型形状の複合機本体（装置本体）２と、着脱可能なオプションの給紙ユニット３、４と、着脱可能なオプションの中継ユニット５と、着脱可能なオプションの用紙後処理ユニット６と、を備えている。給紙ユニット３、４は、複合機本体２の下方と右側（一側方）に配置される。中継ユニット５は、複合機本体２の上部の排紙空間に配置される。用紙後処理ユニット６は、複合機本体２の左側（他側方）に配置される。
【００２１】
先ず、複合機本体２について図２及び図３を参照しながら説明する。複合機本体２の下部には用紙（図示せず）を収納した給紙カセット８、９が設けられ、複合機本体２の上部の排紙空間には第１排紙トレイ１０が設けられている。給紙カセット８、９及び第１排紙トレイ１０は、複合機本体２内の画像形成部２３で画像が形成される用紙を搬送するために用いられる。
【００２２】
複合機本体２の上部では、原稿に表示されたものを画像データとして読み取る画像読取装置１２が第１排紙トレイ１０の上方に設けられている。画像読取装置１２は、読取部１３と原稿供給部１４とを備えている。
【００２３】
読取部１３は、図示しないスキャナによってコンタクトガラス１５上に載せられた原稿の画像を読み取るように構成される。
【００２４】
原稿供給部１４は、給紙トレイ１６を上面に備えると共に、第２排紙トレイ１７を給紙トレイ１６の下方に備えている。原稿供給部１４は、画像読取の際に、給紙トレイ１６に載置された原稿を供給機構（図示せず）によりコンタクトガラス１５上に供給し、画像読取後に、コンタクトガラス１５上の原稿を供給機構（図示せず）により第２排紙トレイ１７へと排出する。即ち、給紙トレイ１６及び第２排紙トレイ１７は、画像読取装置１２で画像が読み取られる原稿を搬送するために用いられる。また、原稿供給部１４は、コンタクトガラス１５を覆うカバー部材として開閉可能に取り付けられる。
【００２５】
更に、複合機本体２の上部では、操作ユニット１９が正面側に取り付けられている。操作ユニット１９は、例えば、テンキーやスタートキー等の操作キーと、タッチパネルとを備えて、印刷枚数や印刷濃度等の設定についてユーザーの操作指示を受け付ける。
【００２６】
複合機本体２の中央部には、図２に示されるように、中間転写ベルト２１が複数のローラー間に架設され、中間転写ベルト２１の下方には、レーザー・スキャニング・ユニット（ＬＳＵ）で構成される露光装置２２が配置されている。中間転写ベルト２１の近傍には、中間転写ベルト２１の下部に沿って４個の画像形成部２３がトナーの色（例えば、マゼンタ、シアン、イエロー、ブラックの４色）ごとに設けられている。
【００２７】
各画像形成部２３には、感光体ドラム２４が回転可能に設けられており、感光体ドラム２４の周囲には、帯電器２５と、現像器２６と、一次転写部２７と、クリーニング装置２８と、除電器２９とが、一次転写のプロセス順に配置されている。現像器２６の上方には、各画像形成部２３と対応する４個のトナー容器としてのトナーコンテナ３０が、トナーの色ごとに設けられている。
【００２８】
また、複合機本体２は、図３に示されるように、中央部の正面側に開口部を有していて、この開口部を開閉可能な正面カバー部３１が取り付けられている。この正面開口部を介してトナーコンテナ３０を交換することができる。
【００２９】
複合機本体２の一側（図面上右側）には、用紙の搬送経路３２が設けられている。搬送経路３２の上流端には給紙部３３、３４が給紙カセット８、９に対してそれぞれ設けられ、搬送経路３２の中流部には中間転写ベルト２１の一端（図面上右端）に二次転写部３５が設けられ、搬送経路３２の下流部には定着装置３６が設けられ、搬送経路３２の下流端には排紙口３７が設けられている。
【００３０】
また、複合機本体２は、図３及び図４に示されるように、左側面に開口部を有していて、この開口部を開閉可能な側面カバー部３９が取り付けられている。この側面開口部内には、外部インタフェース部４０や通信処理部４１が搭載されている。
【００３１】
側面カバー部３９は、一側部が複合機本体２に着脱可能に連結されていて、この一側部を支点にして回転することで側面開口部を開閉する。例えば、側面カバー部３９は、複合機本体２の左側面に用紙後処理ユニット６が取り付けられる場合には、複合機本体２から取り外される。また、側面カバー部３９は、内側に突出した係合凸部４２を他側部に備え、この係合凸部４２が、複合機本体２に設けられた係合凹部４１に係合することで、側面カバー部３９が複合機本体２の側面開口部を閉じた状態で複合機本体２に固定される。更に、側面カバー部３９は、外部インタフェース部４０から延在する接続線を外部へと引き出すための引出口４４を有している。
【００３２】
外部インタフェース部４０は、電話線端子４５、ＵＳＢ端子４６及びＬＡＮ（Ｌｏｃａｌ  Ａｒｉａ  Ｎｅｔｗｏｒｋ）端子４７等の外部接続端子を備え、複合機本体２を電話回線、ＬＡＮやインターネット等のネットワークや、外部の端末と通信可能に接続するものである。
【００３３】
電話線端子４５は、電話線と連結可能なモジュラージャックであり、この電話線を介して外部インタフェース部４０と公衆電話回線とを接続することで、複合機１がファクシミリとして機能する場合に通信信号を送受信することができる。
【００３４】
ＵＳＢ端子４６は、ＵＳＢケーブルと連結可能なモジュラージャックであり、このＵＳＢケーブルを介して外部インタフェース部４０とパーソナルコンピュータ等のユーザー端末とを接続することで、複合機１に対する印刷等の操作指示をユーザー端末から入力し、また、複合機１の設定状態や処理状態をユーザー端末へと出力することができる。
【００３５】
ＬＡＮ端子４７は、ＬＡＮケーブルと連結可能なモジュラージャックであり、このＬＡＮケーブルを介して外部インタフェース部４０とＬＡＮとを接続することで、ＬＡＮに接続されたユーザー端末から複合機１へと操作指示を入力し、また、複合機１の設定状態や処理状態をＬＡＮに接続されたユーザー端末へと出力することができる。また、ＬＡＮ端子４７は、図５に示されるように、リンクランプ（接続状態表示器）４８を有していて、リンクランプ４８は、例えば、ＬＡＮ端子４７のモジュラージャックの近傍に取り付けられるＬＥＤ等で構成されて、ＬＡＮケーブルがＬＡＮ端子４７に連結されることにより外部インタフェース部４０とＬＡＮとが接続（リンクアップ）されたときに点灯することで、複合機本体２がＬＡＮ（ネットワーク）へ通信可能に接続されているか否かを表示し、即ち、接続状態を表示している。
【００３６】
なお、電話線端子４５、ＵＳＢ端子４６やＬＡＮ端子４７に連結された電話線、ＵＳＢケーブルやＬＡＮケーブル等の接続線は、側面カバー部３９が閉じた状態では引出口４４から外部へと引き出される。
【００３７】
通信処理部４１は、上記のように外部インタフェース部４０と接続された電話線、ＵＳＢケーブルやＬＡＮケーブル等の接続線を介して行われる通信処理を制御するものである。
【００３８】
次に、このような構成を備えた複合機１の画像形成動作について説明する。複合機１に電源が投入されると、各種パラメーターが初期化され、定着装置３６の温度設定等の初期設定が実行される。そして、複合機１に接続されたコンピューター等から画像データが入力され、印刷開始の指示がなされると、以下のようにして画像形成動作が実行される。
【００３９】
まず、帯電器２５によって感光体ドラム２４の表面が帯電された後、露光装置２２からのレーザー光（矢印Ｐ参照）により感光体ドラム２４の表面に静電潜像が形成される。次に、この静電潜像を、トナーコンテナ３０から供給されるトナーによって現像器２６がトナーにより対応する色のトナー像に現像する。このトナー像は、一次転写部２７において中間転写ベルト２１の表面に一次転写される。以上の動作を各画像形成部２３が順次繰り返すことによって、中間転写ベルト２１上にフルカラーのトナー像が形成される。なお、感光体ドラム２４上に残留したトナー及び電荷は、クリーニング装置２８及び除電器２９によって除去される。
【００４０】
一方、給紙部３３、３４によって給紙カセット８、９から、又は手指しトレイ（図示せず）から取り出された用紙は、上記した画像形成動作とタイミングを合わせて二次転写部３５へと搬送され、二次転写部３５において、中間転写ベルト２１上のフルカラーのトナー像が用紙に二次転写される。トナー像を二次転写された用紙は、搬送経路３２を下流側へと搬送されて定着装置３６に進入し、この定着装置３６において用紙にトナー像が定着される。トナー像が定着された用紙は、排紙口３７から第１排紙トレイ１０へと排出される。
【００４１】
次に、給紙ユニット３、４について図１を参照しながら説明する。給紙ユニット３は、複合機本体２の下方に取り付けられるもので、上面に複合機本体２を載置可能に構成されている。
【００４２】
給紙ユニット３は、上記の給紙カセット８、９と同様の給紙カセット５０、５１を備えていて、これにより、複合機１は、上下四段の給紙カセット８、９、５０、５１により、４種類の用紙を収納することができるようになっている。また、給紙カセット５０、５１は、給紙部（図示せず）を備えていて、収納した用紙を必要に応じて搬送経路３２へと供給するように構成される。
【００４３】
給紙ユニット４は、複合機本体２の右側に取り付けられるもので、上記の給紙カセット８、９と同様の給紙カセット５２、５３、５４を備えている。これにより、複合機１は、上記の給紙カセット８、９、４４、４５に加えて、４種類の用紙を収納することができるようになっている。
【００４４】
なお、給紙カセット８、９、５０、５１、５２、５３、５４は、同種類の用紙を収納していてもよい。
次に、中継ユニット５について図２を参照して説明する。
【００４５】
中継ユニット５は、複合機本体２の上部の排紙空間において第１排紙トレイ１０上に取り付けられる。また、中継ユニット５は、中継給紙口５７と、複数の中継供給ローラー５８と、中継排紙口５９とを備え、中継給紙口５７及び中継排紙口５９は、中継ユニット５の一側（右側）及び他側（左側）でそれぞれ開口している。
【００４６】
中継給紙口５７は、中継ユニット５が複合機本体２に取り付けられる際に複合機本体２の排紙口３７に対応する位置に設けられる。複数の中継供給ローラー５８は、中継給紙口５７から中継排紙口５９へと用紙の中継経路６０を構成するものである。中継排紙口５９は、中継ユニット５が複合機本体２に取り付けられる際に複合機本体２の左側面に位置する。
【００４７】
次に、用紙後処理ユニット６について図１及び図６を参照しながら説明する。用紙後処理ユニット６は、複合機本体２の左側に取り付けられる。
【００４８】
用紙後処理ユニット６は、複合機本体２により画像が形成されて排紙口３７から排出された用紙であって、中継ユニット５を介して中継排紙口５７から排出された用紙を内部に搬入し、この用紙に対してステープル処理、穿孔処理および折り処理等の所定の後処理を行うものである。用紙後処理ユニット６は、例えば、複数枚の用紙をスタックしてステープルで綴じるステープル装置と、用紙に対して所定の穿孔処理を行うパンチ装置と、用紙に折り処理を行うシート折り装置と、を備えて構成される。
【００４９】
また、用紙後処理ユニット６は、搬入部６２と、電源接続部６３と、導光機構６４と、第１排出トレイ６５と、メールボックス６６と、を備えている。
【００５０】
搬入部６２は、用紙後処理ユニット６の右側面において、用紙後処理ユニット６が複合機本体２に取り付けられる際に中継ユニット５の中継排紙口５９に対応する位置で開口していて、中継排紙口５９から排出された用紙を用紙後処理ユニット６の内部へと搬入する。
【００５１】
電源接続部６３は、用紙後処理ユニット６に複合機本体２を介して電力を供給するように複合機本体２に接続されるものである。
【００５２】
導光機構６４は、複合機本体２の外部インタフェース部４０にて発せられる通信状態を示す光を用紙後処理ユニット６の外面まで導光するものである。導光機構６４は、例えば、一端に集光部６７を備えると共に、他端に発光部６８を備えた導光板や光ファイバー等で構成される。導光機構６４の一端の集光部６７は、用紙後処理ユニット６が複合機本体２に取り付けられる際に、外部インタフェース部４０におけるＬＡＮ端子４７のリンクランプ４８に対応した位置に配置されるように構成される。導光機構６４の他端の発光部は、用紙後処理ユニット６の外面、例えば上面に設けられる。即ち、導光機構６４は、リンクランプ４８で発せられた光を用紙後処理ユニット６の外部で視認可能にしている。
【００５３】
第１排出トレイ６５は、用紙後処理ユニット６により後処理された用紙が排出される。
【００５４】
メールボックス６６は、複数の第２排出トレイ６９を有し、各第２排出トレイ６９は、用紙後処理ユニット６によりユーザー毎に後処理された用紙が排出される。
【００５５】
本実施形態によれば、上述のように、用紙後処理ユニット６が複合機本体２に取り付けられた状態において、導光機構６４が、外部インタフェース部４０におけるＬＡＮ端子４７のリンクランプ４８で発せられた光を発光部６８まで導光している。これにより、リンクランプ４８が用紙後処理ユニット６に覆われて外部に視認できなくなった場合でも、リンクランプ４８で発せられた光は、発光部６８で発せられる光によって用紙後処理ユニット６の外部で視認することができる。そのため、ユーザーは、用紙後処理ユニット６の配置に拘らず、複合機本体２のＬＡＮへの接続状態を一目で確認することができる。
【００５６】
また、本実施形態では、導光機構６４が導光板や光ファイバーからなる構成を説明したが、導光機構６４の構成はこれに限定されない。例えば、導光機構６４は、図７に示されるように、用紙後処理ユニット６内に複数の反射鏡７１、７２を配置し、用紙後処理ユニット６の外面に沿って導光表示窓７３を設けることで構成されてよい。この場合、複数の反射鏡７１、７２は、用紙後処理ユニット６が複合機本体２に取り付けられた状態において、リンクランプ４８で発せられた光を順次反射して導光表示窓７３まで導光するように、それぞれ所定角度傾けて配置される。導光表示窓７３は、例えば、複数の反射鏡７１、７２からの反射光に対して拡散や放射等の調光を施す有色透明の光透過部材で形成され、この反射光を和らげてユーザーの目に直接入らないようにするものである。
【００５７】
このような構成とすることにより、複合機本体２がリンクランプ４８以外の確認用ランプを備える場合でも、複数の反射鏡７１、７２及び導光表示窓７３を一組備えれば、これらの確認用ランプの発光を導光することができる。従って、導光機構６４の構成を簡易にし、コストを低減することが可能となる。
【００５８】
また、本実施形態では、導光機構６４を用紙後処理ユニット６に備える構成を説明したが、この構成に限定されず、他の実施形態では、導光機構６４を他のオプションの付属機器に備えるように構成されてよい。例えば、外部インタフェース部４０が複合機本体２の右側面に設けられている場合、給紙ユニット４に導光機構６４を備えるように構成されてよい。また、複合機本体２において、給紙ユニット３や中継ユニット５が配置されることで他の確認用ランプが視認できなくなるような場合には、給紙ユニット３や中継ユニット５に導光機構６４を備えるように構成されてよい。
【００５９】
このような構成とすることにより、給紙ユニット３、４、中継ユニット５及び用紙後処理ユニット６等の何れのオプションの付属機器が取り付けられることで、リンクランプ４８及び他の確認用ランプが付属機器に覆われて視認できなくなる場合でも、これらのランプの発光を導光機構６４によって付属機器の外面へと導光することができる。
【００６０】
本実施形態では、リンクランプ４８がＬＡＮ端子４７のモジュラージャックの近傍に取り付けられるＬＥＤである構成を説明したが、リンクランプ４８の構成はこれに限定されず、例えば、ＬＡＮ端子４７のモジュラージャック自体がリンクランプ４８として発光可能となる構成でもよい。
【００６１】
また、本実施形態では、導光機構６４が外部インタフェース部４０におけるＬＡＮ端子４７のリンクランプ４８で発せられた光を導光する構成を説明したが、この構成に限定されず、他の実施形態では、導光機構６４は他の機器で発せられた光を導光するように構成されてよい。例えば、外部インタフェース部４０が電話線端子４５やＵＳＢ端子４６の接続状態を示す他の確認用ランプを備え、導光機構６４は、このような他の確認用ランプで発せられた光を導光するように構成されもよい。また、通信処理部４１が通信処理状態を示す他の確認用ランプを備え、導光機構６４は、このような他の確認用ランプで発せられた光を導光するように構成されてもよい。
【００６２】
本実施形態では、タンデム式でカラーの画像形成を行う複合機１に本発明の構成を適用する場合について説明したが、他の異なる実施形態では、ロータリー式のカラー画像形成やモノクロ画像形成を行う他の複合機や、プリンター、複写機、ファクシミリ等の様々な画像形成装置に本発明の構成を適用してもよい。
【符号の説明】
【００６３】
１  複合機
２  複合機本体
６  用紙後処理ユニット
４０  外部インタフェース部
４７  ＬＡＮ端子
４８  リンクランプ（接続状態表示器）
６４  導光機構
６７  集光部
６８  発光部
【図１】
2014231206.tif 000003
【図２】
2014231206.tif 000004
【図３】
2014231206.tif 000005
【図４】
2014231206.tif 000006
【図５】
2014231206.tif 000007
【図６】
2014231206.tif 000008
【図７】
2014231206.tif 000009